(57)【特許請求の範囲】
【請求項１】
一対の網状体からなる網籠本体と、この網籠本体の上部開口縁部に連結される蓋体と、前記網籠本体の下部開口縁部に連結される底体と、前記一対の網状体を連結する連結部材とから構成されており、前記連結部材が、当接させた状態で並べた前記一対の網状体の一方の網状体の右線状部材と他方の網状体の左線状部材とを跨いだ状態で両網状体を連結し、また、前記網籠本体と底体との連結をも行う機能を有していることを特徴とする網籠。
【請求項２】
前記連結部材は、上端部のほぼ中央に切り欠き部分を有するとともに、切り欠き部分の左右にそれぞれ、下端側に向けて延びる係止部を有し、また、下部には、前記底体の側面に形成された突出部に掛け止めされる掛け止め部を有している請求項１に記載の網籠。
【請求項３】
前記一対の網状体は、互いに対向するように当接させた状態では、一方の網状体の左側端部と他方の網状体の右側端部とがほぼ同一平面内に位置し、かつ一方の網状体の右側端部と他方の網状体の左側端部とがほぼ同一平面内に位置するように構成されている請求項１または２に記載の網籠。
【請求項４】
前記蓋体に開閉自在な扉が設けられており、また、蓋体の周縁部分に、前記網籠本体の上部開口縁部を構成する横線状部材を係止するための係止体が設けられている請求項１〜３のいずれかに記載の網籠。
【発明の詳細な説明】
【０００１】
【発明の属する技術分野】
本発明は、ハムスター，二十日鼠，小鳥，リスなどの動物の飼育に用いられる網籠に関する。
【０００２】
【従来の技術】
従来の網籠として、ほぼ筒状の網籠本体と、この網籠本体の上部開口縁部に連結される天井網部分と、前記網籠本体の下部開口縁部に連結される受け座部分とから構成され、前記網籠本体が、一対の網状体と、各網状体の上端部が係止される係止片を有する平面視がほぼ六角形状の上枠と、各網状体の下端部が係止される係止片を有する平面視がほぼ六角形状の下枠とからなり、一対の網状体の上端部および下端部をそれぞれ、上枠の係止片および下枠の係止片に係止させることで網籠本体が形成されるものがある。
【０００３】
【発明が解決しようとする課題】
しかし、上記の構成からなる従来の網籠では、一対、すなわち二つの網状体と、上枠と、下枠と、天井網部分と、受け座部分との６つの部材を用いていたことから、コストが上昇することとなっていた。
【０００４】
本発明は、上述の事柄に留意してなされたものであり、その目的は、低コストで製造可能な網籠を提供することである。
【０００５】
【課題を解決するための手段】
上記目的を達成するために、本発明の網籠は、一対の網状体からなる網籠本体と、この網籠本体の上部開口縁部に連結される蓋体と、前記網籠本体の下部開口縁部に連結される底体と、前記一対の網状体を連結する連結部材とから構成されており、前記連結部材が、当接させた状態で並べた前記一対の網状体の一方の網状体の右線状部材と他方の網状体の左線状部材とを跨いだ状態で両網状体を連結し、また、前記網籠本体と底体との連結をも行う機能を有している（請求項１）。
【０００６】
また、前記連結部材は、上端部のほぼ中央に切り欠き部分を有するとともに、切り欠き部分の左右にそれぞれ、下端側に向けて延びる係止部を有し、また、下部には、前記底体の側面に形成された突出部に掛け止めされる掛け止め部を有しているとしてもよい（請求項２）。
【０００７】
上記の構成からなる網籠では、構成部材が、一対の網状体と、蓋体と、底体と、連結部材のみとすることができ、その構成部材の数が少ないことから、低コストで製造することが可能となる。
【０００８】
さらに、前記一対の網状体は、互いに対向するように当接させた状態では、一方の網状体の左側端部と他方の網状体の右側端部とがほぼ同一平面内に位置し、かつ一方の網状体の右側端部と他方の網状体の左側端部とがほぼ同一平面内に位置するように構成されているとしてもよく（請求項３）、前記蓋体に開閉自在な扉が設けられており、また、蓋体の周縁部分に、前記網籠本体の上部開口縁部を構成する横線状部材を係止するための係止体が設けられているとしてもよい（請求項４）。
【０００９】
【発明の実施の形態】
以下、この発明の実施例を、図を参照しながら説明する。
図１は、本発明の一実施例に係る網籠Ｄの構成を概略的に示す分解斜視図、図２は、前記網籠Ｄの要部の構成を概略的に示す縦断面図、図３は、前記網籠Ｄの要部の構成を概略的に示す正面図、図４は、前記網籠Ｄの要部の構成を概略的に示す斜視図である。
網籠Ｄは、一対の網状体１，１からなるほぼ筒状の網籠本体２と、この網籠本体２の上部開口縁部に連結される蓋体３と、前記網籠本体２の下部開口縁部に連結される底体４と、前記一対の網状体１，１を連結する二つの連結部材５，５とから構成されており、前記連結部材５が、前記網籠本体２と底体４との連結をも行う機能を有している。
【００１０】
前記網状体１は、水平方向に互いに平行に、かつ互いの上端および下端の位置を合わせた状態で配置された長さが等しい右線状部材１Ｒおよび左線状部材１Ｌと、前記右線状部材１Ｒおよび左線状部材１Ｌの間において、水平方向に互いに平行に、かつ互いの上端および下端の位置を合わせた状態で、さらに、互いに適宜の間隔をあけて配置されたそれぞれの長さが前記右線状部材１Ｒおよび左線状部材１Ｌの長さと等しい複数の縦線状部材１ａ，１ａ…と、前記右線状部材１Ｒの上端にその一端が固定されるとともに、前記左線状部材１Ｌの上端にその他端が固定され、さらに、各縦線状部材１ａの上端がその一端から他端にかけて適宜の間隔で固定される上線状部材１Ｕと、前記右線状部材１Ｒの下端にその一端が固定されるとともに、前記左線状部材１Ｌの下端にその他端が固定され、さらに、各縦線状部材１ａの下端がその一端から他端にかけて適宜の間隔で固定される下線状部材１Ｄと、前記上線状部材１Ｕおよび下線状部材１Ｄと長さが等しく、下線状部材１Ｄから上側に適宜の間隔をあけた位置に下線状部材１Ｄと平行に配置され、また、一端が右線状部材１Ｒに固定されるとともに他端が左線状部材１Ｌに固定され、さらに、各縦線状部材１ａがその一端から他端にかけて適宜の間隔で固定される横線状部材１ｂとからなる平面的に形成された網状の部材を、平面視がほぼコの字形状となるように適宜の２ヵ所で折り曲げてなる。
【００１１】
詳しくは、平面的に形成された前記網状の部材は、ほぼ長方形状または正方形状に形成されており、前記右線状部材１Ｒから左線状部材１Ｌの側へ向けて所定の幅ｗの範囲にある部分である右側面部Ｒと、前記左線状部材１Ｌから右線状部材１Ｒの側へ向けて所定の幅ｗの範囲にある部分である左側面部Ｌと、前記右側面部Ｒおよび左側面部Ｌによって挟まれた部分である中央面部Ｃとからなる。そして、このような構成からなる前記網状の部材の右側面部Ｒおよび左側面部Ｌを中央面部Ｃに対して同じ方向に９０°の角度で折り曲げることにより、網状体１が形成されている。
【００１２】
また、網状体１の下端すなわち下線状部材１Ｄから適宜の間隔をおいた位置に形成された横線状部材１ｂには、連結部材５の後述する係止部１３が係止される。
【００１３】
前記一対の網状体１，１は、互いに対向するように当接させた状態では、一方の網状体１の左側面部Ｌにおける前記左線状部材１Ｌを含む端部（以下、左側端部という）Ｌａと、他方の網状体１の右側面部Ｒにおける前記右線状部材１Ｒを含む端部（以下、右側端部という）Ｒａとがほぼ同一平面内に位置し、かつ一方の網状体１の右側面部Ｒにおける前記右線状部材１Ｒを含む端部（以下、左側端部という）Ｒａと、他方の網状体１の左側面部Ｌにおける前記左線状部材１Ｌを含む端部（以下、左側端部という）Ｌａとがほぼ同一平面内に位置するように構成されている。
【００１４】
そして、一対の前記網状体１，１からなる網籠本体２は、平面視がほぼ長方形状である角筒形状をしており、一対の網状体１，１を対向させた状態で固定してなる。このように構成された網籠本体２は、対向する２対の側面を有することになり、別の観点から見れば、網籠本体２は、対向する２対の側面のうち横幅が短い方の１対の側面のそれぞれ中央を通りかつ上下方向にのびる平面で、２つの網状体１，１に分割できる構造となっているのである。
【００１５】
前記蓋体３は、平面視が前記網籠本体２とほぼ同じである（本実施例では長方形状または正方形状をしている）天板部６と、この天板部６の周縁から下方に向けて連設された周壁部７とからなり、蓋体３の周縁部分、詳しくは、周壁部７の対向する２対の辺のうち、短い方の１対の辺に対応させて、前記網籠本体２の上端を形成する上線状部材１Ｕを係止するための係止体８がそれぞれ二つずつ設けられている。
【００１６】
前記天板部６は、中央部が周縁部に比して盛り上がった形状となっており、また、中央部にはほぼ透明な材料からなる開閉自在な扉６ａが設けられている。
【００１７】
前記係止体８は、前記周壁部７の内面から蓋体３の内側へ向けて突出した状態に設けられており、その上面が周壁部７の内面とほぼ垂直（天板部６の下面とほぼ水平）となるように形成されており、また、蓋体３の内側へと突出する長さが下側ほど短くなるように形成されている。さらに、前記天板部６において、係止体８が設けられている部分の上方に相当する位置には、貫通孔６ｂが設けられている。
【００１８】
前記底体４は、平面視が前記網籠本体２とほぼ同じである（本実施例では長方形状または正方形状をしている）底板部９と、この底板部の周縁から上方に向けて連設された周壁部１０とからなり、周壁部１０の対向する２側面には、前記連結部材５の後述する掛け止め部１４を掛け止めするための突出部１１が設けられている。
【００１９】
前記周壁部１０は、下側から上側にかけて、段状に拡がるように形成されており、上側から順に、上端部１０ａと、この上端部１０ａの下端から内側に向けて設けられた段差部１０ｂとを有している。
【００２０】
前記突出部１１は、周壁部１０の対向する２対の側面のうち、横幅が小さい方の１対の側面のそれぞれのほぼ中央に一つずつ設けられており、各突出部１１は、前記上端部１０ａの下端から下方に向けて突出するように設けられている。
【００２１】
前記連結部材５は、可撓性を有する合成樹脂などの材料よりなり、上端部のほぼ中央に切り欠き部分１２を有するとともに、切り欠き部分１２の左右にそれぞれ、下端側に向けて延びる係止部１３を有し、また、下部には、前記底体４の側面に形成された突出部１１に掛け止めされる掛け止め部１４を有している。詳しくは、連結部材５は、正面視がほぼ長方形状または正方形状で、ほぼ一定の厚さに比較的薄く形成された本体５ａと、この本体５ａの上端のほぼ中央から下方に向けて形成された前記切り欠き部分１２と、前記本体５ａ上端において切り欠き部分１２の左右から本体５ａの裏面側に折り返された形状をしている前記係止部１３と、前記本体５ａの下部の裏面に本体５ａとほぼ垂直に、かつ本体５ａの横方向に長く形成された掛け止め部１４とを有している。
【００２２】
前記切り欠き部１２は、網状体１，１を当接させた状態で並べたときに隣り合う一方の網状体１の右線状部材１Ｒと他方の網状体１の左線状部材１Ｌ（または一方の網状体１の左線状部材１Ｌと他方の網状体１の右線状部材１Ｒ）を差し込める程度以上の大きさとなるように形成されている。
【００２３】
前記係止部１３は、その幅が、前記縦線状部材１ａ，１ａ間の間隔よりも小さくなるように形成されている。
【００２４】
前記掛け止め部１４の上面は、本体５ａの裏面側から順に、前記突出部１１の下端面が当接もしくは対向する状態となる平坦部分１４ａと、この平坦部分１４ａからほぼ垂直に立ち上がり、かつ先端側へ向けて低くなる傾斜面を有するガイド部分１４ｂとを有している。
【００２５】
次に、上記の構成からなる網籠Ｄの組み立て方について説明する。
まず、前記一対の網状体１，１を対向させた状態で当接させ、一方の網状体１の左側端部Ｌａおよび他方の網状体１の右側端部Ｒａと、一方の網状体１の右側端部Ｒａおよび他方の網状体１の左側端部Ｌａとをそれぞれ連結部材５で連結した状態とし、これによって前記網籠本体２が形成されることになる。
【００２６】
ここで、前記一方の網状体１の左側端部Ｌａおよび他方の網状体１の右側端部Ｒａを連結部材５で連結するには、連結部材５の２つの係止部１３を、一方の網状体１の下端から適宜の間隔をおいた位置に形成された横線状部材１ｂと、他方の網状体１の下端から適宜の間隔をおいた位置に形成された横線状部材１ｂとにそれぞれ係止すればよく、このとき、連結部材５は、前記切り欠き部分１２の存在によって、一方の網状体１の左側端部Ｌａをなす左線状部材１Ｌおよび他方の網状体１の右側端部Ｒａをなす右線状部材１Ｒに当接せずに、一方の網状体１の左線状部材１Ｌおよび他方の網状体１の右線状部材１Ｒの軸心回りに回動可能な状態となる。なお、前記一方の網状体１の右側端部Ｒａおよび他方の網状体１の左側端部Ｌａを連結部材５で連結する方法についても、同様であるので、その説明を省略する。
【００２７】
続いて、上記のように形成した網籠本体２を底体４の段差部１０ｂ上に載置し、前記連結部材５によって網籠本体２を底体４に係止する。
【００２８】
ここで、連結部材５によって網籠本体２を底体４に係止するには、連結部材５を前記横線状部材１ｂ回りに回動させることにより、前記掛け止め部１４を底体４の突出部１１に掛け止めすればよい。この掛け止めは、前記掛け止め部１４の傾斜面を有するガイド部分１４ｂによってスムーズになされ、また、前記底体４の突出部１１は、その下端部がガイド部分１４ｂと本体５ａとの間において、その下端面が平坦部分１４ａに当接または対向する状態で確実に保持されることとなる。
【００２９】
そして、最後に、上記のように底体４に固定された網籠本体２の上側に蓋体３を固定することによって、網籠Ｄの組み立てが完了する。
【００３０】
ここで、網籠本体２に対する蓋体３の固定は、網籠本体２の上端をなす上線状部材１Ｕを蓋体３の周壁部７の内側に当接させた状態で、蓋体３を下に押し込むだけで行うことができ、このとき、前記上線状部材１Ｕは、天板部６と係止体８との間に入り込み、前記係止体８の上面に当接した状態となるのであり、これによって、前記上線状部材１Ｕは前記係止体８によって係止されることになる。
【００３１】
上記の構成からなる網籠Ｄでは、構成部材が、一対の網状体１，１と、蓋体３と、底体４と、連結部材５，５とのみであり、その部材の数が少ないことから、低コストで製造することが可能である。
【００３２】
また、上記の構成からなる網籠Ｄでは、同一構造の二つの網状体１，１を連結部材５，５によって連結するだけで網籠本体２を形成でき、また、各網状体１は、ほぼ長方形状または正方形状を呈する網状の部材の左右の端部を折り曲げるだけで形成できることから、網籠本体２ひいては網籠Ｄを、容易かつ低コストで製造することが可能である。
【００３３】
上記の構成からなる網籠Ｄは、各部材等を種々に変形してもよいことはもちろんである。以下に、その具体的な変形例について説明する。
【００３４】
図５は、前記網状体１の変形例の構成を概略的に示す部分拡大斜視図である。  前記網状体１は、図１などに示したような、前記縦線状部材１ａを互いの間隔を比較的小さくして有し、かつ前記横線状部材１ｂを１本または少数本のみ有するものに限られず、例えば、図５に示すように、前記縦線状部材１ａを互いの間隔を比較的大きくして有するかまたは縦線状部材１ａを有さず、かつ前記横線状部材１ｂを互いの間隔を比較的小さくして複数本有するものであってもよい。このとき、前記連結部材５の係止部１３の幅は、縦線状部材１ａに規制されなくなるため、その幅をより大きくすることが可能となる。
【００３５】
なお、前記網状体１は、前記縦線状部材１ａおよび横線状部材１ｂの双方を、互いの間隔を比較的小さくして複数本有するものであってもよい。
【００３６】
図６（Ａ）および（Ｂ）は、前記網籠本体２の変形例および他の変形例の構成を概略的に示す説明図である。
前記網籠本体２は、平面視がほぼ長方形状または正方形状となるものに限られず、例えば、図６（Ａ）に示すように、平面視が八角形状となるように構成されたものでもよいし、図６（Ｂ）に示すように、平面視がほぼ円形状または楕円形状となるように構成されたものであってもよい。
【００３７】
図７は、前記蓋体３の第一変形例の構成を概略的に示す縦断面図である。
前記蓋体３の周縁部分に設けられる係止体８を、上述したように、周壁部７の内面から蓋体３の内側へと突出させた状態で設ける構成に代えて、図７に示すように、天板部６の下面の周縁付近から下方へ向けて設けられた垂下体１５の側面に形成する構成を採用してもよい。すなわち、前記天板部６の下面の端部から少し離れた位置において、天板部６の下面から下方へ向けて垂下体１５を設け、この垂下体１５の周壁部７と対向する側面に前記係止体８を設けるのである。なお、前記垂下体１５および係止体８は、例えば、天板部６の対向する２対の辺のうち、短い方の１対の辺にそれぞれ二つずつ設けられる。また、前記貫通孔６ｂは、例えば、前記天板部６において前記係止体８が設けられている部分に隣接する位置に設けられる。
【００３８】
図８（Ａ）および（Ｂ）は、前記蓋体３の第二変形例の構成を概略的に示す縦断面図および斜視図である。
前記垂下体１５を、天板部６の対向する２対の辺のうち、短い方の１対の辺に対応させてそれぞれ二つずつ設ける構成に代えて、図８（Ａ）および（Ｂ）に示すように、前記蓋体３の下面の周壁部７から一定距離だけ内側に離れた位置に、平面視がほぼ長方形状または正方形状の枠体として設ける構成を採用してもよい。さらに、前記垂下体１５の係止体８が形成された部分の左右にそれぞれ切り欠き部分１５ａを設けてもよい。
【００３９】
図９は、前記連結部材５の変形例の構成を概略的に示す斜視図である。
前記連結部材５の掛け止め部１４の左右にそれぞれ突起部１４ｃを設けるとともに、前記底体４の突出部１１の左右にそれぞれ垂下体１１ａを設けておき、前記突出部１１に対して掛け止め部１４を掛け止めした状態のときに、二つの垂下体１１ａのすぐ内側にそれぞれ前記突起部１４ｃが位置するように構成してもよい。この場合、連結部材５に対して連結部材５をその左右方向へと動かそうとする外力が加わっても、前記二つの突起部１４ｃのうちいずれか一方が前記垂下体１１ａに当接することにより、連結部材５がその左右方向へ動いてしまうことを防止できるのである。
【００４０】
【発明の効果】
以上説明したような構成からなる本発明によって、低コストで製造可能な網籠を提供することが可能となる。
【図面の簡単な説明】
【図１】  本発明の一実施例に係る網籠の構成を概略的に示す分解斜視図である。
【図２】  上記実施例の要部の構成を概略的に示す縦断面図である。
【図３】  上記実施例の要部の構成を概略的に示す正面図である。
【図４】  上記実施例の要部の構成を概略的に示す斜視図である。
【図５】  上記実施例における網状体の変形例の構成を概略的に示す部分拡大斜視図である。
【図６】  （Ａ）および（Ｂ）は、上記実施例における網籠本体の変形例および他の変形例の構成を概略的に示す説明図である。
【図７】  上記実施例における蓋体の第一変形例の構成を概略的に示す縦断面図である。
【図８】  （Ａ）および（Ｂ）は、上記実施例における蓋体の第二変形例の構成を概略的に示す縦断面図および斜視図である。
【図９】  上記実施例における連結部材の変形例の構成を概略的に示す斜視図である。
【符号の説明】
１…網状体、２…網籠本体、３…蓋体、４…底体、５…連結部材、Ｄ…網籠。
【図１】
0003845289.tif 000002
【図２】
0003845289.tif 000003
【図３】
0003845289.tif 000004
【図４】
0003845289.tif 000005
【図５】
0003845289.tif 000006
【図６】
0003845289.tif 000007
【図７】
0003845289.tif 000008
【図８】
0003845289.tif 000009
【図９】
0003845289.tif 000010